(57)【要約】【課題】複数のヒートポンプユニットをグループ制御するヒートポンプシステムにおいて、ヒートポンプユニットとユニット特定番号との関連付け作業を容易に行えるようにする、又は、現地施工時にヒートポンプユニットとユニット特定番号との関連付け作業を行うことなく、異常が発生したヒートポンプユニットの識別を行えるようにする。【解決手段】リモコン（１００）の指定受付部（１０９）がユニット特定番号の指定を受け付けた場合に、指定受付部（１００）に受け付けられたユニット特定番号を有する利用ユニットの利用側コントローラは、リモコン指令部（１０６）からの指令によって、所定の回転数で循環ポンプを運転させ、他のユニット特定番号を有する利用ユニットの利用側コントローラは、リモコン指令部（１０６）からの指令によって、循環ポンプを運転させない。【選択図】図４
2012172897.tif 000002
【特許請求の範囲】
【請求項１】
水媒体を循環するポンプ（４３ａ〜４３ｐ）と、前記ポンプの運転制御を行うユニットコントローラ（１４０ａ〜１４０ｐ）とを有する複数のヒートポンプユニット（４ａ〜４ｐ）と、
前記複数のヒートポンプユニットのそれぞれに対して互いを区別するユニット特定番号を自動的に割り当てる自動特定処理を行う自動特定処理部（１０７）と、任意のユニット特定番号の指定を受け付ける指定受付部（１０９）と、前記複数のヒートポンプユニットのユニットコントローラに制御指令を行う指令部（１０６）とを有しており、前記複数のヒートポンプユニットをグループ制御するグループコントローラ（１００）とを備え、
前記指定受付部がユニット特定番号の指定を受け付けた場合に、前記指定受付部に受け付けられたユニット特定番号を有するヒートポンプユニットのユニットコントローラは、前記指令部からの指令によって、所定の回転数で前記ポンプを運転させ、他のユニット特定番号を有するヒートポンプユニットのユニットコントローラは、前記指令部からの指令によって、前記ポンプを運転させない、
ヒートポンプシステム（１）。
【請求項２】
前記グループコントローラ（１００）は、異常が発生したヒートポンプユニット（４ａ〜４ｐ）のユニット特定番号及び異常原因を特定する異常特定部（１０８）をさらに有しており、
前記指定受付部（１０９）が、任意のユニット特定番号として、異常が発生したユニット特定番号を受け付ける、
請求項１に記載のヒートポンプシステム（１）。
【請求項３】
前記異常特定部（１０８）によって特定された異常原因がポンプ異常である場合に、前記指定受付部（１０９）は、任意のユニット特定番号として、前記複数のヒートポンプユニット（４ａ〜４ｐ）のいずれかにポンプ異常が発生したことを意味するポンプ異常発生番号を受け付けて、前記ポンプ異常が発生したユニット特定番号を有するヒートポンプユニットのユニットコントローラは、前記指令部（１０６）からの指令によって、前記ポンプを運転させず、前記ポンプ異常が発生していないユニット特定番号を有するヒートポンプユニットのユニットコントローラは、前記指令部からの指令によって、前記ポンプを運転させる、
請求項２に記載のヒートポンプシステム（１）。
【請求項４】
前記異常特定部（１０８）によって特定された異常原因がポンプ異常である場合にもかかわらず、前記指定受付部（１０９）が、任意のユニット特定番号として、前記ポンプ異常が発生したユニット特定番号を受け付けた場合には、前記ポンプ異常が発生したユニット特定番号を有するヒートポンプユニットのユニットコントローラは、前記指令部（１０６）からの指令によって、前記ポンプを運転させない、
請求項３に記載のヒートポンプシステム（１）。
【発明の詳細な説明】
【技術分野】
【０００１】
本発明は、ヒートポンプシステム、特に、複数のヒートポンプユニットをグループ制御するヒートポンプシステムに関する。
【背景技術】
【０００２】
従来より、特許文献１（特開平５−１６４３８４号公報）に示すように、複数のヒートポンプユニットを１つのリモコンによってグループ制御するヒートポンプシステムがある。
【発明の概要】
【発明が解決しようとする課題】
【０００３】
上記従来のグループ制御を行うヒートポンプシステムでは、現地施工時に、リモコンによって、複数のヒートポンプユニットのそれぞれに対して互いを区別するユニット特定番号が自動的に割り当てられる。
【０００４】
しかし、ユニット特定番号が自動的に割り当てられた時点では、各ヒートポンプユニットがどのユニット特定番号に対応するかが不明である。
【０００５】
このため、サービスマンは、ヒートポンプユニットに異常が発生した場合等に備えて、現地施工時に、各ヒートポンプユニットがどのユニット特定番号に対応するかを関連付ける作業を行うか、又は、ヒートポンプユニットの異常が発生したときに、異常が発生したヒートポンプユニットを識別する作業を行う必要があり、これらの作業が非常に煩雑なものとなっている。
【０００６】
本発明の課題は、複数のヒートポンプユニットをグループ制御するヒートポンプシステムにおいて、ヒートポンプユニットとユニット特定番号との関連付け作業を容易に行えるようにする、又は、現地施工時にヒートポンプユニットとユニット特定番号との関連付け作業を行うことなく、異常が発生したヒートポンプユニットの識別を行えるようにすることにある。
【課題を解決するための手段】
【０００７】
第１の観点にかかるヒートポンプシステムは、複数のヒートポンプユニットと、複数のヒートポンプユニットをグループ制御するグループコントローラとを備えている。各ヒートポンプユニットは、水媒体を循環するポンプと、ポンプの運転制御を行うユニットコントローラとを有している。グループコントローラは、自動特定処理部と、指定受付部と、指令部とを有している。自動特定処理部は、複数のヒートポンプユニットのそれぞれに対して互いを区別するユニット特定番号を自動的に割り当てる自動特定処理を行う。指定受付部は、任意のユニット特定番号の指定を受け付ける。指令部は、複数のヒートポンプユニットのユニットコントローラに制御指令を行う。そして、指定受付部がユニット特定番号の指定を受け付けた場合に、指定受付部に受け付けられたユニット特定番号を有するヒートポンプユニットのユニットコントローラは、指令部からの指令によって、所定の回転数でポンプを運転させ、他のユニット特定番号を有するヒートポンプユニットのユニットコントローラは、指令部からの指令によって、ポンプを運転させない。
【０００８】
複数のヒートポンプユニットをグループ制御するヒートポンプシステムにおいて、ヒートポンプユニットとユニット特定番号との関連付け作業を行う際には、サービスマンが、割り当てられたユニット特定番号ごとに所定の動作をさせて、どのヒートポンプユニットが所定の動作をしているかを感知することが考えられる。
【０００９】
しかし、従来の複数のヒートポンプユニットをグループ制御するヒートポンプシステムでは、このような関連付け作業を容易に行えるようにするための機能が設けられていない。また、ヒートポンプユニットとして送風ファンを有するものを採用する場合には、送風ファンを動作させてヒートポンプユニットからの空気の吹き出しを感知することによって識別することができるが、ヒートポンプユニットとして水媒体を循環するポンプを有するものを採用する場合には、送風ファンを有するヒートポンプユニットとは異なり、空気の吹き出しを感知することができない。
【００１０】
そこで、このヒートポンプシステムでは、上記のように、グループコントローラに任意のユニット特定番号の指定を受け付ける指定受付部を設けるとともに、指定受付部がユニット特定番号の指定を受け付けた場合に、指令部が、指定受付部に受け付けられたユニット特定番号を有するヒートポンプユニットのポンプを所定の回転数で運転させ、他のユニット特定番号を有するヒートポンプユニットのポンプを運転させないようにしている。
【００１１】
これにより、このヒートポンプシステムでは、指定受付部に任意のユニット特定番号を受付させるだけで、関連付けを行いたいユニット特定番号のヒートポンプユニットだけに所定の動作をさせることができ、しかも、各ヒートポンプユニットが共通に有しているポンプを動作させて運転音等を感知することによって識別することができる。したがって、従来に比べて、ヒートポンプユニットとユニット特定番号との関連付け作業を容易に行うことができる。
【００１２】
第２の観点にかかるヒートポンプシステムは、第１の観点にかかるヒートポンプシステムにおいて、グループコントローラは、異常が発生したヒートポンプユニットのユニット特定番号及び異常原因を特定する異常特定部をさらに有している。そして、指定受付部は、任意のユニット特定番号として、異常が発生したユニット特定番号を受け付ける。
【００１３】
このヒートポンプシステムでは、グループコントローラに異常が発生したヒートポンプユニットのユニット特定番号及び異常原因を特定する異常特定部をさらに設け、異常が発生したユニット特定番号を、任意のユニット特定番号として指定受付部に受け付けて、異常が発生したヒートポンプユニットのポンプだけを運転させるようにしている。
【００１４】
これにより、このヒートポンプシステムでは、指定受付部に異常が発生したユニット特定番号を受付させるだけで、異常が発生したヒートポンプユニットだけに所定の動作をさせることができ、現地施工時にヒートポンプユニットとユニット特定番号との関連付け作業を行うことなく、異常が発生したヒートポンプユニットを識別することができる。
【００１５】
第３の観点にかかるヒートポンプシステムは、第２の観点にかかるヒートポンプシステムにおいて、異常特定部によって特定された異常原因がポンプ異常である場合に、指定受付部は、任意のユニット特定番号として、複数のヒートポンプユニットのいずれかにポンプ異常が発生したことを意味するポンプ異常発生番号を受け付ける。そして、ポンプ異常が発生したユニット特定番号を有するヒートポンプユニットのユニットコントローラは、指令部からの指令によって、ポンプを運転させず、ポンプ異常が発生していないユニット特定番号を有するヒートポンプユニットのユニットコントローラは、指令部からの指令によって、ポンプを運転させる。
【００１６】
第２の観点にかかるヒートポンプシステムでは、異常が発生したヒートポンプユニットのポンプを運転させることでヒートポンプユニットの識別を行うものであるため、異常原因がポンプ異常であった場合には、所定のポンプの運転を行うことができず、異常が発生したヒートポンプユニットの識別を行うことができないおそれがある。
【００１７】
そこで、このヒートポンプシステムでは、異常特定部によって特定された異常原因がポンプ異常である場合には、複数のヒートポンプユニットのいずれかにポンプ異常が発生したことを意味するポンプ異常発生番号を、任意のユニット特定番号として指定受付部に受け付けて、ポンプ異常が発生していないヒートポンプユニットのポンプだけを運転させるようにしている。
【００１８】
これにより、このヒートポンプシステムでは、指定受付部に複数のヒートポンプユニットのいずれかにポンプ異常が発生したことを意味するポンプ異常発生番号を受付させるだけで、ポンプ異常が発生していないヒートポンプユニットだけに所定の動作をさせることができ、ポンプ異常が発生したヒートポンプユニットを識別することができる。
【００１９】
第４の観点にかかるヒートポンプシステムは、第３の観点にかかるヒートポンプシステムにおいて、異常特定部によって特定された異常原因がポンプ異常である場合にもかかわらず、指定受付部が、任意のユニット特定番号として、ポンプ異常が発生したユニット特定番号を受け付けた場合には、ポンプ異常が発生したユニット特定番号を有するヒートポンプユニットのユニットコントローラは、指令部からの指令によって、ポンプを運転させない。
【００２０】
第３の観点にかかるヒートポンプシステムでは、ポンプ異常以外の異常が発生した場合には、異常が発生したユニット特定番号を、任意のユニット特定番号として指定受付部に受け付け、ポンプ異常が発生した場合には、ポンプ異常発生番号を、任意のユニット特定番号として指定受付部に受け付けさせるようにしている。すなわち、ポンプ異常が発生した場合には、ポンプ異常が発生したユニット特定番号を指定受付部に受付させるのではなく、ポンプ異常が発生したユニット特定番号とは別のポンプ異常発生番号を指定受付部に受付させるようにしている。このため、ポンプ異常が発生した場合であるにもかかわらず、誤ってポンプ異常が発生したユニット特定番号を指定受付部に受付させてしまうと、異常が発生したポンプに所定の動作をさせようとすることになり、機器保護の観点から好ましくない状況が発生する。
【００２１】
そこで、このヒートポンプシステムでは、ポンプ異常が発生した場合であるにもかかわらず、指定受付部が、ポンプ異常が発生したユニット特定番号を受け付けた場合には、ポンプ異常が発生したヒートポンプユニットのポンプを運転させないようにしている。
【００２２】
これにより、このヒートポンプシステムでは、ポンプ異常が発生した場合であるにもかかわらず、誤ってポンプ異常が発生したユニット特定番号を指定受付部に受付させてしまった場合でも、ポンプ異常が発生したヒートポンプユニットのポンプの機器保護を図ることができる。
【発明の効果】
【００２３】
以上の説明に述べたように、本発明によれば、以下の効果が得られる。
【００２４】
第１の観点にかかるヒートポンプシステムでは、従来に比べて、ヒートポンプユニットとユニット特定番号との関連付け作業を容易に行うことができる。
【００２５】
第２の観点にかかるヒートポンプシステムでは、現地施工時にヒートポンプユニットとユニット特定番号との関連付け作業を行うことなく、異常が発生したヒートポンプユニットを識別することができる。
【００２６】
第３の観点にかかるヒートポンプシステムでは、ポンプ異常が発生したヒートポンプユニットを識別することができる。
【００２７】
第４の観点にかかるヒートポンプシステムでは、ポンプ異常が発生したヒートポンプユニットのポンプの機器保護を図ることができる。
【図面の簡単な説明】
【００２８】
【図１】本発明の一実施形態にかかるヒートポンプシステムの全体構成図である。
【図２】本発明の一実施形態にかかるヒートポンプシステムの機器構成図である。
【図３】本発明の一実施形態にかかるヒートポンプシステムの制御ブロック図である。
【図４】本発明の一実施形態にかかる利用ユニットの識別処理のフローチャートである。
【発明を実施するための形態】
【００２９】
以下、本発明にかかるヒートポンプシステムの実施形態について、図面に基づいて説明する。尚、本発明にかかるヒートポンプシステムの実施形態の具体的な構成は、下記の実施形態に限られるものではなく、発明の要旨を逸脱しない範囲で変更可能である。
【００３０】
（１）機器構成
−全体−
図１は、本発明の一実施形態にかかるヒートポンプシステム１の全体構成図である。
【００３１】
ヒートポンプシステム１は、蒸気圧縮式のヒートポンプサイクルを利用して水媒体を加熱する運転等を行うことが可能なシステムである。ヒートポンプシステム１は、主として、熱源ユニット２に複数の利用ユニット４ａ〜４ｐを接続することによって構成されている。そして、ヒートポンプシステム１では、リモコン１００によって複数の利用ユニット４ａ〜４ｐをグループ制御することができるようになっている。
【００３２】
図２は、本発明の一実施形態にかかるヒートポンプシステム１の機器構成図である。
【００３３】
ヒートポンプシステム１は、主として、熱源ユニット２と、複数の利用ユニット４ａ〜４ｐと、液冷媒連絡管１３と、ガス冷媒連絡管１４と、貯湯ユニット７ａ〜７ｐと、温水暖房ユニット８ａ〜８ｐと、水媒体連絡管１５ａ〜１５ｐ、１６ａ〜１６ｐとを有している。熱源ユニット２は、冷媒連絡管１３、１４を介して複数の利用ユニット４ａ〜４ｐに接続されることによって、熱源側冷媒回路２０を構成している。利用ユニット４ａ〜４ｐは、それぞれ、利用側冷媒回路４０ａ〜４０ｐを構成している。利用ユニット４ａ〜４ｐは、それぞれ、水媒体連絡管１５ａ〜１５ｐ、１６ａ〜１６ｐを介して貯湯ユニット７ａ〜７ｐ及び温水暖房ユニット８ａ〜８ｐに接続されることによって、水媒体回路７０ａ〜７０ｐを構成している。熱源側冷媒回路２０には、ＨＦＣ−４１０Ａ等の冷媒が熱源側冷媒として封入されている。また、利用側冷媒回路４０ａ〜４０ｐには、ＨＦＣ−１３４ａ等の冷媒が利用側冷媒として封入されている。水媒体回路７０ａ〜７０ｐには、水媒体としての水が循環するようになっている。ここで、図２においては、熱源ユニット２、液冷媒連絡管１３、ガス冷媒連絡管１４、利用ユニット４ａ、貯湯ユニット７ａ、温水暖房ユニット８ａ、水媒体連絡管１５ａ、１６ａ、利用側冷媒回路４０ａ、及び、水媒体回路７０ａの詳細を図示している。そして、図２においては、利用ユニット４ｂ〜４ｐ、貯湯ユニット７ｂ〜７ｐ、温水暖房ユニット８ｂ〜８ｐ、水媒体連絡管１５ｂ〜１５ｐ、１６ｂ〜１６ｐ、利用側冷媒回路４０ｂ〜４０ｐ、及び、水媒体回路７０ｂ〜７０ｐの図示を簡略化又は省略している。
【００３４】
−熱源ユニット−
熱源ユニット２は、屋外に設置されており、冷媒連絡管１３、１４を介して利用ユニット４ａ〜４ｐに接続されており、熱源側冷媒回路２０の一部を構成している。
【００３５】
熱源ユニット２は、主として、熱源側圧縮機２１と、油分離機構２２と、熱源側切換機構２３と、熱源側熱交換器２４と、熱源側膨張機構２５と、吸入戻し管２６と、過冷却器２７と、熱源側アキュムレータ２８と、液側閉鎖弁２９と、ガス側閉鎖弁３０とを有している。
【００３６】
熱源側圧縮機２１は、熱源側冷媒を圧縮する機構であり、ここでは、ケーシング（図示せず）内に収容されたロータリ式やスクロール式等の容積式の圧縮要素（図示せず）が、同じくケーシング内に収容された熱源側圧縮機モータ３１によって駆動される密閉式圧縮機が採用されている。
【００３７】
油分離機構２２は、熱源側圧縮機２１から吐出された熱源側冷媒中に含まれる冷凍機油を分離して熱源側圧縮機の吸入に戻すための機構である。油分離機構２２は、主として、熱源側圧縮機２１の熱源側吐出管３２に設けられた油分離器３３と、油分離器３３と熱源側圧縮機２１の熱源側吸入管３４とを接続する油戻し管３５とを有している。油分離器３３は、熱源側圧縮機２１から吐出された熱源側冷媒中に含まれる冷凍機油を分離する機器である。油戻し管３５は、キャピラリチューブを有しており、油分離器３３において熱源側冷媒から分離された冷凍機油を熱源側圧縮機２１の熱源側吸入管３４に戻す冷媒管である。
【００３８】
熱源側切換機構２３は、熱源側熱交換器２４を熱源側冷媒の放熱器として機能させる熱源側放熱運転状態と熱源側熱交換器２４を熱源側冷媒の蒸発器として機能させる熱源側蒸発運転状態とを切り換え可能な四路切換弁である。熱源側切換機構２３は、熱源側吐出管３２と、熱源側吸入管３４と、熱源側熱交換器２４のガス側に接続された第１熱源側ガス冷媒管３６と、ガス側閉鎖弁３０に接続された第２熱源側ガス冷媒管３７とに接続されている。熱源側放熱運転状態は、熱源側吐出管３２と第１熱源側ガス冷媒管３６とを連通させるとともに、第２熱源側ガス冷媒管３７と熱源側吸入管３４とを連通させる切り換え状態である（図２の熱源側切換機構２３の実線を参照）。熱源側蒸発運転状態は、熱源側吐出管３２と第２熱源側ガス冷媒管３７とを連通させるとともに、第１熱源側ガス冷媒管３６と熱源側吸入管３４とを連通させる切り換え状態である（図２の熱源側切換機構２３の破線を参照）。尚、熱源側切換機構２３は、四路切換弁に限定されるものではなく、例えば、複数の電磁弁を組み合わせる等によって、上記と同様の熱源側冷媒の流れの方向を切り換える機能を有するように構成したものであってもよい。
【００３９】
熱源側熱交換器２４は、熱源側冷媒と室外空気との熱交換を行うことで熱源側冷媒の放熱器又は蒸発器として機能する熱交換器であり、その液側に熱源側液冷媒管３８が接続されており、そのガス側に第１熱源側ガス冷媒管３６が接続されている。この熱源側熱交換器２４において熱源側冷媒と熱交換を行う室外空気は、熱源側ファンモータ１７によって駆動される熱源側ファン１８によって供給されるようになっている。
【００４０】
熱源側膨張弁２５は、熱源側熱交換器２４を流れる熱源側冷媒の減圧等を行う電動膨張弁であり、熱源側液冷媒管３８に設けられている。
【００４１】
吸入戻し管２６は、熱源側液冷媒管３８を流れる熱源側冷媒の一部を分岐して熱源側圧縮機２１の吸入に戻す冷媒管であり、ここでは、その一端が熱源側液冷媒管３８に接続されており、その他端が熱源側吸入管３４に接続されている。そして、吸入戻し管２６には、開度制御が可能な吸入戻し膨張弁３９が設けられている。この吸入戻し膨張弁３９は、電動膨張弁からなる。
【００４２】
過冷却器２７は、熱源側液冷媒管３８を流れる熱源側冷媒と吸入戻し管２６を流れる熱源側冷媒（より具体的には、吸入戻し膨張弁３９によって減圧された後の冷媒）との熱交換を行う熱交換器である。
【００４３】
熱源側アキュムレータ２８は、熱源側吸入管３４に設けられており、熱源側冷媒回路２０を循環する熱源側冷媒を熱源側吸入管３４から熱源側圧縮機２１に吸入される前に一時的に溜めるための容器である。
【００４４】
液側閉鎖弁２９は、熱源側液冷媒管３８と液冷媒連絡管１３との接続部に設けられた弁である。ガス側閉鎖弁３０は、第２熱源側ガス冷媒管３７とガス冷媒連絡管１４との接続部に設けられた弁である。
【００４５】
−液冷媒連絡管−
液冷媒連絡管１３は、液側閉鎖弁２９を介して熱源側液冷媒管３８に接続されている。液冷媒連絡管１３は、熱源側切換機構２３が熱源側放熱運転状態において熱源側冷媒の放熱器として機能する熱源側熱交換器２４の出口から熱源ユニット２外に熱源側冷媒を導出することが可能な冷媒管である。また、液冷媒連絡管１３は、熱源側切換機構２３が熱源側蒸発運転状態において熱源ユニット２外から熱源側冷媒の蒸発器として機能する熱源側熱交換器２４の入口に熱源側冷媒を導入することが可能な冷媒管である。
【００４６】
−ガス冷媒連絡管−
ガス冷媒連絡管１４は、ガス側閉鎖弁３０を介して第２熱源側ガス冷媒管３７に接続されている。ガス冷媒連絡管１４は、熱源側切換機構２３が熱源側放熱運転状態において熱源ユニット２外から熱源側圧縮機２１の吸入に熱源側冷媒を導入することが可能な冷媒管である。また、ガス冷媒連絡管１４は、熱源側切換機構２３が熱源側蒸発運転状態において熱源側圧縮機２１の吐出から熱源ユニット２外に熱源側冷媒を導出することが可能な冷媒管である。
【００４７】
−利用ユニット−
利用ユニット４ａ〜４ｐは、屋内に設置されており、冷媒連絡管１３、１４を介して熱源ユニット２に接続されており、熱源側冷媒回路２０の一部を構成している。また、利用ユニット４ａ〜４ｐは、それぞれ、利用側冷媒回路４０ａ〜４０ｐを構成している。さらに、利用ユニット４ａ〜４ｐは、それぞれ、水媒体連絡管１５ａ〜１５ｐ、１６ａ〜１６ｐを介して貯湯ユニット７ａ〜７ｐ及び温水暖房ユニット８ａ〜８ｐに接続されており、水媒体回路７０ａ〜７０ｐの一部を構成している。尚、以下の説明では、利用ユニット４ａの構成について説明し、利用ユニット４ｂ〜４ｐの構成については、添字「ａ」を「ｂ」〜「ｐ」に読み替えることで説明を省略する。
【００４８】
利用ユニット４ａは、主として、利用側熱交換器４１ａと、利用側流量調節弁４２ａと、利用側圧縮機５１ａと、冷媒−水熱交換器５２ａと、冷媒−水熱交側流量調節弁５３ａと、利用側アキュムレータ５４ａと、循環ポンプ４３ａとを有している。
【００４９】
利用側熱交換器４１ａは、熱源側冷媒と利用側冷媒との熱交換を行うことで熱源側冷媒の放熱器として機能する熱交換器である。利用側熱交換器４１ａの熱源側冷媒が流れる流路の液側には、利用側液冷媒管４４ａが接続されており、熱源側冷媒が流れる流路のガス側には、利用側ガス冷媒管４５ａが接続されている。また、利用側熱交換器４１ａの利用側冷媒が流れる流路の液側には、カスケード側液冷媒管５５ａが接続されており、利用側冷媒が流れる流路のガス側には、第２カスケード側ガス冷媒管５６ａが接続されている。利用側液冷媒管４４ａには、液冷媒連絡管１３が接続されており、利用側ガス冷媒管４５ａには、ガス冷媒連絡管１４が接続されている。また、カスケード側液冷媒管５５ａには、冷媒−水熱交換器５２ａが接続されており、カスケード側ガス冷媒管５６ａには、利用側圧縮機５１ａが接続されている。
【００５０】
利用側流量調節弁４２ａは、開度制御を行うことで利用側熱交換器４１ａを流れる熱源側冷媒の流量を可変することが可能な電動膨張弁であり、利用側液冷媒管４４ａに設けられている。
【００５１】
利用側圧縮機５１ａは、利用側冷媒を圧縮する機構であり、ここでは、ケーシング（図示せず）内に収容されたロータリ式やスクロール式等の容積式の圧縮要素（図示せず）が、同じくケーシング内に収容された利用側圧縮機モータ５７ａによって駆動される密閉式圧縮機が採用されている。また、利用側圧縮機５１ａの吐出には、第１カスケード側ガス冷媒管５８ａが接続されており、利用側圧縮機５１ａの吸入には、第２カスケード側ガス冷媒管５６ａに接続されている。
【００５２】
冷媒−水熱交換器５２ａは、利用側冷媒と水媒体との熱交換を行うことで利用側冷媒の放熱器として機能する熱交換器である。冷媒−水熱交換器５２ａの利用側冷媒が流れる流路の液側には、カスケード側液冷媒管５５ａが接続されており、その利用側冷媒が流れる流路のガス側には、第１カスケード側ガス冷媒管５８ａが接続されている。冷媒−水熱交換器５２ａの水媒体が流れる流路の入口側には、第１利用側水入口管４５ａが接続されており、水媒体が流れる流路の出口側には、第１利用側水出口管４６ａが接続されている。第１利用側水入口管４５ａには、水媒体連絡管１５ａが接続されており、第１利用側水出口管４６ａには、水媒体連絡管１６ａが接続されている。
【００５３】
冷媒−水熱交側流量調節弁５３ａは、開度制御を行うことで冷媒−水熱交換器５２ａを流れる利用側冷媒の流量を可変することが可能な電動膨張弁であり、カスケード側液冷媒管５５ａに設けられている。
【００５４】
利用側アキュムレータ５４ａは、第２カスケード側ガス冷媒管５６ａに設けられており、利用側冷媒回路４０ａを循環する利用側冷媒を第２カスケード側ガス冷媒管５６ａから利用側圧縮機５１ａに吸入される前に一時的に溜めるための容器である。
【００５５】
このように、利用側圧縮機５１ａ、冷媒−水熱交換器５２ａ、冷媒−水熱交側流量調節弁５３ａ及び利用側熱交換器４１ａが冷媒管５５ａ、５６ａ、５８ａを介して接続されることによって、利用側冷媒回路４０ａが構成されている。
【００５６】
循環ポンプ４３ａは、水媒体の昇圧を行う機構であり、ここでは、遠心式や容積式のポンプ要素（図示せず）が循環ポンプモータ４７ａによって駆動されるポンプが採用されている。循環ポンプ４３ａは、第１利用側水出口管４６ａに設けられている。循環ポンプモータ４７ａは、インバータ装置（図示せず）によって、その回転数（すなわち、運転周波数）を可変でき、これにより、循環ポンプ４３ａの容量制御が可能になっている。
【００５７】
これにより、利用ユニット４ａは、利用側熱交換器４１ａを熱源側冷媒の放熱器として機能させ、利用側熱交換器４１ａにおける熱源側冷媒の放熱によって利用側冷媒回路４０ａを循環する利用側冷媒を加熱し、この加熱された利用側冷媒を利用側圧縮機５１ａにおいて圧縮した後に冷媒−水熱交換器５２ａにおいて放熱することによって水媒体を加熱する給湯運転を行うことが可能になっている。
【００５８】
−貯湯ユニット−
貯湯ユニット７ａ〜７ｐは、屋内に設置されており、それぞれ、水媒体連絡管１５ａ〜１５ｐ、１６ａ〜１６ｐを介して利用ユニット４ａ〜４ｐに接続されており、水媒体回路７０ａ〜７０ｐの一部を構成している。尚、以下の説明では、貯湯ユニット７ａの構成について説明し、貯湯ユニット７ｂ〜７ｐの構成については、添字「ａ」を「ｂ」〜「ｐ」に読み替えることで説明を省略する。
【００５９】
貯湯ユニット７ａは、主として、貯湯タンク７１ａと、熱交換コイル７２ａとを有している。
【００６０】
貯湯タンク７１ａは、給湯に供される水媒体としての水を溜める容器であり、その上部には、蛇口やシャワー等に温水となった水媒体を送るための給湯管７３ａが接続されており、その下部には、給湯管７３ａによって消費された水媒体の補充を行うための給水管７４ａが接続されている。
【００６１】
熱交換コイル７２ａは、貯湯タンク７１ａ内に設けられており、水媒体回路７０ａを循環する水媒体と貯湯タンク７１ａ内の水媒体との熱交換を行うことで貯湯タンク７１ａ内の水媒体の加熱器として機能する熱交換器であり、その入口には、水媒体連絡管１６ａが接続されており、その出口には、水媒体連絡管１５ａが接続されている。
【００６２】
これにより、貯湯ユニット７ａは、利用ユニット４ａにおいて加熱された水媒体回路７０ａを循環する水媒体によって貯湯タンク７１ａ内の水媒体を加熱して温水として溜めることが可能になっている。尚、ここでは、貯湯ユニット７ａとして、利用ユニット４ａにおいて加熱された水媒体との熱交換によって加熱された水媒体を貯湯タンクに溜める型式の貯湯ユニットを採用しているが、利用ユニット４ａにおいて加熱された水媒体を貯湯タンクに溜める型式の貯湯ユニットを採用してもよい。
【００６３】
−温水暖房ユニット−
温水暖房ユニット８ａは、屋内に設置されており、それぞれ、水媒体連絡管１５ａ〜１５ｐ、１６ａ〜１６ｐを介して利用ユニット４ａ〜４ｐに接続されており、水媒体回路７０ａの一部を構成している。尚、以下の説明では、温水暖房ユニット８ａの構成について説明し、温水暖房ユニット８ｂ〜８ｐの構成については、添字「ａ」を「ｂ」〜「ｐ」に読み替えることで説明を省略する。
【００６４】
温水暖房ユニット８ａは、主として、熱交換パネル８１ａを有しており、ラジエータや床暖房パネル等を構成している。
【００６５】
熱交換パネル８１ａは、ラジエータの場合には、室内の壁際等に設けられ、床暖房パネルの場合には、室内の床下等に設けられており、水媒体回路７０ａを循環する水媒体の放熱器として機能する熱交換器である。熱交換パネル８１ａの入口には、水媒体連絡管１６ａが接続されており、出口には、水媒体連絡管１５ａが接続されている。
【００６６】
−水媒体連絡管−
水媒体連絡管１５ａ〜１５ｐは、それぞれ、貯湯ユニット７ａ〜７ｐの熱交換コイル７２ａ〜７２ｐの出口及び温水暖房ユニット８ａ〜８ｐの熱交換パネル８１ａ〜８１ｐの出口に接続されている。水媒体連絡管１６ａ〜１６ｐは、それぞれ、貯湯ユニット７ａ〜７ｐの熱交換コイル７２ａ〜７２ｂの入口及び温水暖房ユニット８ａ〜８ｐの熱交換パネル８１ａ〜８１ｐの入口に接続されている。水媒体連絡管１５ａ〜１５ｐには、それぞれ、水媒体回路７０ａ〜７０ｂを循環する水媒体を貯湯ユニット７ａ〜７ｐ及び温水暖房ユニット８ａ〜８ｐの両方、又は、貯湯ユニット７ａ〜７ｐ及び温水暖房ユニット８ａ〜８ｐのいずれか一方に供給するかの切り換えを行うことが可能な水媒体側切換機構６１ａ〜６１ｐが設けられている。水媒体側切換機構６１ａ〜６１ｐは、三方弁からなる。
【００６７】
以上のように、ヒートポンプシステム１は、給湯や空調を行う貯湯ユニット７ａ〜７ｐや温水暖房ユニット８ａ〜８ｐに水媒体を供給するヒートポンプユニットとしての利用ユニット４ａ〜４ｐを有している。そして、利用ユニット４ａ〜４ｐは、それぞれ、水媒体を循環する循環ポンプ４３ａ〜４３ｐを有している。これにより、ヒートポンプシステム１は、蒸気圧縮式のヒートポンプサイクルを利用して水媒体を加熱する運転等を行うことが可能になっている。尚、ここでは、利用ユニット４ａ〜４ｐが利用側冷媒回路４０ａ〜４０ｐを有する、いわゆるカスケードサイクルを行う構成を採用しているが、これに限定されず、例えば、利用側冷媒回路４０ａ〜４０ｐを省略して冷媒−水熱交換器５２ａ〜５２ｐを熱源側冷媒と水媒体との熱交換を行う熱交換器とする構成を採用してもよい。また、ここでは、熱源ユニット２に複数の利用ユニット４ａ〜４ｐを接続した、いわゆる熱源別体型のヒートポンプユニットの構成を採用しているが、これに限定されず、各利用ユニット４ａ〜４ｐが熱源ユニット２の構成を有する熱源一体型のヒートポンプユニットの構成を採用してもよい。
【００６８】
（２）基本制御構成
図３は、本発明の一実施形態にかかるヒートポンプシステム１の制御ブロック図である。
【００６９】
ヒートポンプシステム１には、給湯運転等の各種基本動作を行うために、熱源側コントローラ１２０と、ユニットコントローラとしての複数の利用側コントローラ１４０ａ〜１４０ｐと、リモコン１００とが伝送線を介して接続された制御構成が設けられている。熱源側コントローラ１２０は、熱源ユニット２に設けられている。複数の利用側コントローラ１４０ａ〜１４０ｐは、それぞれ利用ユニット４ａ〜４ｐに設けられている。尚、ここでは、コントローラ１２０、１４０ａ〜１４０ｐ、及び、リモコン１００が伝送線を介して接続された構成を採用しているが、ワイヤレスで接続された構成を採用してもよい。
【００７０】
−熱源側コントローラ−
熱源側コントローラ１２０は、熱源ユニット２の運転制御を行っており、主として、熱源側ＣＰＵ１２１と、熱源側伝送部１２２と、熱源側記憶部１２３とを有している。
【００７１】
熱源側ＣＰＵ１２１は、熱源側伝送部１２２及び熱源側記憶部１２３に接続されている。熱源側伝送部１２２は、利用側コントローラ１４０ａ〜１４０ｐとの間で制御データ等の伝送を行う。熱源側記憶部１２３は、制御データ等を記憶する。そして、熱源側ＣＰＵ１２１は、熱源側伝送部１２２や熱源側記憶部１２３を介して、制御データ等の伝送や読み書きを行いつつ、熱源ユニット２に設けられた熱源側圧縮機等の機器１７、２３、２５、３１、３９の運転制御を行う。
【００７２】
−利用側コントローラ−
利用側コントローラ１４０ａ〜１４０ｐは、それぞれ、対応する利用ユニット４ａ〜４ｐの運転制御を行っており、それぞれ、主として、利用側ＣＰＵ１４１ａ〜１４１ｐと、第１利用側伝送部１４２ａ〜１４２ｐと、第２利用側伝送部１４３ａ〜１４３ｐと、利用側記憶部１４４ａ〜１４４ｐと、利用側通信部１４５ａ〜１４５ｐとを有している。尚、以下の説明では、利用側コントローラ１４０ａの構成について説明し、利用側コントローラ１４０ｂ〜１４０ｐの構成については、添字「ａ」を「ｂ」〜「ｐ」に読み替えることで説明を省略する。
【００７３】
利用側ＣＰＵ１４１ａは、利用側伝送部１４２ａ、１４３ａ、利用側記憶部１４４ａ及び熱源側記憶部１２３に接続されている。第１利用側伝送部１４２ａは、熱源側コントローラ１２０との間で制御データ等の伝送を行う。第２利用側伝送部１４３ａは、他の利用側コントローラ１４０ｂ〜１４０ｐとの間で制御データ等の伝送を行う。利用側記憶部１４４ａは、制御データ等を記憶する。利用側通信部１４５ａは、リモコン１００との間で制御データ等の送受信を行う。そして、利用側ＣＰＵ１４１ａは、利用側伝送部１４２ａ、１４３ａや利用側記憶部１４４ａ、利用側通信部１４５ａを介して、制御データ等の伝送や読み書き、送受信を行いつつ、利用ユニット４ａに設けられた循環ポンプ等の機器４２ａ、４３ａ、５１ａ、５７ａの運転制御を行う。また、利用側ＣＰＵ１４１ａには、利用ユニット４ａの異常を検知する異常検知部１４６ａが設けられている。
【００７４】
−リモコン−
リモコン１００は、運転指令等の入力を受け付けて複数の利用ユニット４ａ〜４ｐに運転指令を行うとともに、運転表示等を行っており、主として、リモコンＣＰＵ１０１と、リモコン記憶部１０２と、リモコン通信部１０３と、リモコン操作部１０４と、リモコン表示部１０５とを有している。
【００７５】
リモコンＣＰＵ１０１は、リモコン通信部１０２、リモコン記憶部１０３、リモコン操作部１０４及びリモコン表示部１０５に接続されている。リモコン通信部１０２は、利用側通信部１４５ａ〜１４５ｐとの間で制御データ等の送受信を行う。リモコン記憶部１０３は、制御データ等を記憶する。リモコン操作部１０４は、制御指令等の入力を行う。リモコン表示部１０５は、運転表示等を行う。そして、リモコンＣＰＵ１０１は、リモコン操作部１０４を介して制御指令等の入力を受け付けて、リモコン記憶部１０３に制御データ等の読み書きを行い、リモコン表示部１０５に運転表示等を行いつつ、リモコン通信部１０２を介して、利用ユニット４ａ〜４ｐの利用側コントローラ１４０ａ〜１４０ｐに制御指令等を行う。尚、利用側コントローラ１４０ａ〜１４０ｐに制御指令等を行う手段として、リモコンＣＰＵ１０１には、リモコン指令部１０６が設けられている。
【００７６】
また、リモコンＣＰＵ１０１には、自動特定処理部１０７と、異常特定部１０８とが設けられている。
【００７７】
自動特定処理部１０７は、複数の利用ユニット４ａ〜４ｐのそれぞれに対して互いを区別するユニット特定番号を自動的に割り当てる自動特定処理を行う。より具体的には、自動特定処理部１０７は、ヒートポンプシステム１の現地施工時に、リモコン通信部１０２を介して複数の利用側コントローラ１４０ａ〜１４０ｐと順次通信を行い、「０」〜「１５」のユニット特定番号を、リモコンＣＰＵ１０１に認識された順に、利用側コントローラ１４０ａ〜１４０ｐに割り当てる。自動特定処理部１０７によって割り当てられたユニット特定番号は、リモコン記憶部１０３及び利用側記憶部１４４ａ〜１４４ｐに記憶される。ここでは、ヒートポンプシステム１において予定している利用ユニットの接続台数の上限が１６台であるため、ユニット特定番号として、「０」から「１５」までの番号が準備されている。尚、利用ユニットの接続台数やユニット特定番号の具体的な値は、上記のものに限定されるものではない。
【００７８】
異常特定部１０８は、利用ユニット４ａ〜４ｐのうち異常が発生した利用ユニットのユニット特定番号及び異常原因を特定する。より具体的には、利用ユニット４ａ〜４ｐのいずれかに異常が発生した場合には、異常が発生した利用ユニットの利用側コントローラの異常検知部が異常を検知し、異常が発生した利用ユニットの異常原因を示すコード番号を、第２利用側伝送部、利用側通信部及びリモコン通信部１０２を介して、異常特定部１０８に送信する。そして、異常特定部１０８は、異常原因を受信した利用ユニットのユニット特定番号を特定する。異常特定部１０８によって特定されたユニット特定番号及び異常原因は、リモコン表示部１０５に表示される。
【００７９】
（３）基本動作
ヒートポンプシステム１では、上記の基本制御構成によって、以下の基本動作が行われる。
【００８０】
−利用ユニットへのユニット特定番号の割り当て処理−
ヒートポンプシステム１では、現地施工時に、複数の利用ユニット４ａ〜４ｐのそれぞれに対して互いを区別するユニット特定番号を自動的に割り当てる自動特定処理が行われる。利用ユニット４ａ〜４ｐへのユニット特定番号の割り当て処理は、上記のように、リモコン１００の自動特定処理部１０７によって行われる。
【００８１】
−給湯運転−
ヒートポンプシステム１では、利用ユニット４ａ〜４ｐの給湯運転（すなわち、貯湯ユニット７ａ〜７ｐ及び／又は温水暖房ユニット８ａ〜８ｐの運転）が行われる。給湯運転は、リモコン１００の指令部１０６からの指令を受けた利用側コントローラ１４０ａ〜１４０ｐ及び熱源側コントローラ１２０が、以下のように、利用ユニット４ａ〜４ｐに設けられた循環ポンプ等の機器４２ａ、４３ａ、５１ａ、５７ａ、及び、熱源ユニット２に設けられた熱源側圧縮機等の機器１７、２３、２５、３１、３９を運転制御することによって行われる。
【００８２】
利用ユニット４ａ〜４ｐの給湯運転を行う場合には、熱源側冷媒回路２０においては、熱源側切換機構２３が熱源側蒸発運転状態（図１の熱源側切換機構２３の破線で示された状態）に切り換えられ、吸入戻し膨張弁２６ａが閉止された状態になる。また、水媒体回路７０ａにおいては、水媒体切換機構６１ａが貯湯ユニット７ａ及び／又は温水暖房ユニット８ａに水媒体を供給する状態に切り換えられる。
【００８３】
このような状態の熱源側冷媒回路２０において、冷凍サイクルにおける低圧の熱源側冷媒は、熱源側吸入管３４を通じて、熱源側圧縮機２１に吸入され、冷凍サイクルにおける高圧まで圧縮された後に、熱源側吐出管３２に吐出される。熱源側吐出管３２に吐出された高圧の熱源側冷媒は、油分離器３３において冷凍機油が分離される。油分離器３３において熱源側冷媒から分離された冷凍機油は、油戻し管３５を通じて、熱源側吸入管３４に戻される。冷凍機油が分離された高圧の熱源側冷媒は、熱源側切換機構２３、第２熱源側ガス冷媒管３７及びガス側閉鎖弁３０を通じて、熱源ユニット２からガス冷媒連絡管１４に送られる。
【００８４】
ガス冷媒連絡管１４に送られた高圧の熱源側冷媒は、利用ユニット４ａ〜４ｐに送られる。利用ユニット４ａ〜４ｐに送られた高圧の熱源側冷媒は、利用側ガス冷媒管４５ａ〜４５ｐを通じて、利用側熱交換器４１ａ〜４１ｐに送られる。利用側熱交換器４１ａ〜４１ｐに送られた高圧の熱源側冷媒は、利用側熱交換器４１ａ〜４１ｐにおいて、利用側冷媒回路４０ａ〜４０ｐを循環する冷凍サイクルにおける低圧の利用側冷媒と熱交換を行って放熱する。利用側熱交換器４１ａ〜４１ｐにおいて放熱した高圧の熱源側冷媒は、利用側流量調節弁４２ａ及び利用側液冷媒管４４ａ〜４４ｐを通じて、利用ユニット４ａ〜４ｐから液冷媒連絡管１３に送られる。
【００８５】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管３８を通じて、熱源側熱交換器２４に送られる。熱源側熱交換器２４に送られた低圧の冷媒は、熱源側熱交換器２４において、熱源側ファン１８によって供給される室外空気と熱交換を行って蒸発する。熱源側熱交換器２４において蒸発した低圧の熱源側冷媒は、第１熱源側ガス冷媒管３６及び熱源側切換機構２３を通じて、熱源側アキュムレータ２８に送られる。熱源側アキュムレータ２８に送られた低圧の熱源側冷媒は、熱源側吸入管３４を通じて、再び、熱源側圧縮機２１に吸入される。
【００８６】
一方、利用側冷媒回路４０ａ〜４０ｐにおいては、利用側熱交換器４１ａ〜４１ｐにおける熱源側冷媒の放熱によって利用側冷媒回路４０ａ〜４０ｐを循環する冷凍サイクルにおける低圧の利用側冷媒が加熱されて蒸発する。利用側熱交換器４１ａ〜４１ｐにおいて蒸発した低圧の利用側冷媒は、第２カスケード側ガス冷媒管５６ａ〜５６ｐを通じて、利用側アキュムレータ５４ａ〜５４ｐに送られる。利用側アキュムレータ５４ａ〜５４ｐに送られた低圧の利用側冷媒は、利用側圧縮機５１ａ〜５１ｐに吸入され、冷凍サイクルにおける高圧まで圧縮された後に、第１カスケード側ガス冷媒管５８ａ〜５８ｐに吐出される。第１カスケード側ガス冷媒管５８ａ〜５８ｐに吐出された高圧の利用側冷媒は、冷媒−水熱交換器５２ａ〜５２ｐに送られる。冷媒−水熱交換器５２ａ〜５２ｐに送られた高圧の利用側冷媒は、冷媒−水熱交換器５２ａ〜５２ｐにおいて、循環ポンプ４３ａ〜４３ｐによって水媒体回路７０ａ〜７０ｐを循環する水媒体と熱交換を行って放熱する。冷媒−水熱交換器５２ａ〜５２ｐにおいて放熱した高圧の利用側冷媒は、冷媒−水熱交側流量調節弁５３ａ〜５３ｐにおいて減圧されて、低圧の気液二相状態になり、カスケード側液冷媒管５５ａ〜５５ｐを通じて、再び、利用側熱交換器４１ａ〜４１ｐに送られる。
【００８７】
また、水媒体回路７０ａ〜７０ｐにおいては、冷媒−水熱交換器５２ａ〜５２ｐにおける利用側冷媒の放熱によって水媒体回路７０ａ〜７０ｐを循環する水媒体が加熱される。冷媒−水熱交換器５２ａ〜５２ｐにおいて加熱された水媒体は、第１利用側水出口管４６ａ〜４６ｐを通じて、循環ポンプ４３ａ〜４３ｐに吸入され、昇圧された後に、利用ユニット４ａ〜４ｐから水媒体連絡管１６ａ〜１６ｐに送られる。水媒体連絡管１６ａ〜１６ｐに送られた水媒体は、水媒体側切換機構６１ａ〜６１ｐを通じて、貯湯ユニット７ａ〜７ｐ及び／又は温水暖房ユニット８ａ〜８ｐに送られる。貯湯ユニット７ａ〜７ｐに送られた水媒体は、熱交換コイル７２ａ〜７２ｐにおいて貯湯タンク７１ａ〜７１ｐ内の水媒体と熱交換を行って放熱し、これにより、貯湯タンク７１ａ〜７１ｐ内の水媒体を加熱する。温水暖房ユニット８ａ〜８ｐに送られた水媒体は、熱交換パネル８１ａ〜８１ｐにおいて放熱し、これにより、室内の壁際等を加熱したり室内の床を加熱する。
【００８８】
−異常が発生した利用ユニットのユニット特定番号及び異常原因の特定処理−
ヒートポンプシステム１では、上記の給湯運転時に、利用ユニット４ａ〜４ｐのいずれかに何らかの異常が発生することがある。ヒートポンプシステム１では、このような利用ユニットの異常の発生時に、利用ユニット４ａ〜４ｐのうち異常が発生した利用ユニットのユニット特定番号及び異常原因を特定する処理が行われる。異常が発生した利用ユニットのユニット特定番号及び異常原因の特定処理は、上記のように、リモコン１００の異常特定部１０８によって行われる。
【００８９】
（４）利用ユニットの識別処理
上記のように、ヒートポンプシステム１では、複数の利用ユニット４ａ〜４ｐを１つのリモコン１００によってグループ制御するシステムが採用されている。そして、このようなグループ制御を行うに当たり、ヒートポンプシステム１では、現地施工時に、複数の利用ユニット４ａ〜４ｐのそれぞれに対して互いを区別するユニット特定番号を自動的に割り当てる自動特定処理が行われるようになっている。
【００９０】
しかし、自動特定処理が行われた時点では、各利用ユニット４ａ〜４ｐがどのユニット特定番号に対応するかが不明である。
【００９１】
このため、サービスマンは、利用ユニット４ａ〜４ｐに異常が発生した場合等に備えて、現地施工時に、各利用ユニット４ａ〜４ｐがどのユニット特定番号に対応するかを関連付ける作業を行うか、又は、利用ユニット４ａ〜４ｐの異常が発生したときに、異常が発生した利用ユニットを識別する作業を行う必要がある。
【００９２】
ここで、複数の利用ユニットをグループ制御するヒートポンプシステムにおいて、利用ユニットとユニット特定番号との関連付け作業を行う際には、サービスマンが、割り当てられたユニット特定番号ごとに所定の動作をさせて、どの利用ユニットが所定の動作をしているかを感知することが考えられる。
【００９３】
しかし、従来の複数の利用ユニットをグループ制御するヒートポンプシステムでは、このような関連付け作業を容易に行えるようにするための機能が設けられていない。また、利用ユニットとして送風ファンを有するものを採用する場合には、送風ファンを動作させて利用ユニットからの空気の吹き出しを感知することによって識別することができるが、ここでは、ヒートポンプユニットとして水媒体を循環する循環ポンプ４３ａ〜４３ｐを有する利用ユニット４ａ〜４ｐを採用する場合には、送風ファンを有する利用ユニットとは異なり、空気の吹き出しを感知することができない。
【００９４】
そこで、ヒートポンプシステム１では、各利用ユニット４ａ〜４ｐがどのユニット特定番号に対応するかを関連付ける作業を容易に行えるようにするために、及び／又は、現地施工時に利用ユニット４ａ〜４ｐとユニット特定番号との関連付け作業を行うことなく異常が発生した利用ユニットの識別を行えるようにするために、以下に説明する利用ユニットの識別処理を採用している。
【００９５】
ヒートポンプシステム１では、図３に示すように、リモコン１００のリモコンＣＰＵ１０１に、指定受付部１０９がさらに設けられており、指定受付部１０９を用いて、図４のフローチャートに示されるような利用ユニット４ａ〜４ｐの識別処理が行われる。
【００９６】
指定受付部１０９は、任意のユニット特定番号の指定を受け付ける。より具体的には、リモコン記憶部１０３には、指定受付部１０９が受け付ける任意のユニット特定番号（以下、「現地設定」とする）の初期値として、自動特定処理部１０７によって割り当てられることのない番号（ここでは、「１６」）が記憶されている。そして、任意のユニット特定番号がリモコン操作部１０４に入力されることによって、指定受付部１０９が現地設定として任意のユニット特定番号の指定を受け付ける。指定受付部１０９において現地設定として指定可能なユニット特定番号としては、初期値及び自動特定処理部１０７によって自動的に割り当てられるユニット特定番号（すなわち、「０」〜「１５」）の他、複数の利用ユニット４ａ〜４ｐのいずれかにポンプ異常が発生したことを意味するポンプ異常発生番号（ここでは、初期値でなく、しかも、自動特定処理部１０７によって割り当てられることのない「１７」）がある。指定受付部１０９に現地設定として受け付けられた任意のユニット特定番号は、リモコン記憶部１０３に記憶される。尚、現地設定の初期値やポンプ異常発生番号の具体的な値は、上記のものに限定されるものではない。
【００９７】
−現地施工時における利用ユニットとユニット特定番号との関連付け作業−
そして、利用ユニット４ａ〜４ｐに自動的に割り当てられたユニット特定番号のいずれかの指定を現地設定として指定受付部１０９に受け付けさせた場合には、リモコン指令部１０６の指令により、現地設定されたユニット特定番号を有する利用ユニットの循環ポンプを所定の回転数Ｒで運転させ、他のユニット特定番号を有する利用ユニットの循環ポンプを運転させないようにする制御を、利用側コントローラ１４０ａ〜１４０ｐに行わせるようになっている。
【００９８】
ここでは、サービスマンが、ヒートポンプシステム１の現地施工時に、各利用ユニット４ａ〜４ｐがどのユニット特定番号に対応するかを関連付ける作業を行う場合を具体例として説明する。
【００９９】
まず、ステップＳ１において、リモコンＣＰＵ１０１が、現地設定が初期値「１６」であるかどうかを判定する。ここでは、現地設定が初期値「１６」以外であるため、すなわち、サービスマンが任意のユニット特定番号をリモコン操作部１０４に入力することによって、指定受付部１０９が現地設定として任意のユニット特定番号の指定を受け付けた場合であるため、ステップＳ２に移行する。
【０１００】
次に、ステップＳ２において、リモコンＣＰＵ１０１が、現地設定がポンプ異常発生番号「１７」であるかどうかを判定する。ここでは、指定受付部１０９が現地設定としてポンプ異常発生番号「１７」以外の任意のユニット特定番号の指定を受け付けた場合であるため、ステップＳ３に移行する。
【０１０１】
次に、ステップＳ３において、リモコンＣＰＵ１０１が、現地設定として指定を受け付けたユニット特定番号を有する利用ユニットがポンプ異常であるかどうかを判定する。ここでは、異常特定部１０８において利用ユニット４ａ〜４ｐのいずれにも異常が発生していない場合であるため、ステップＳ４に移行する。
【０１０２】
次に、ステップＳ４〜Ｓ６において、リモコンＣＰＵ１０１のリモコン指令部１０６が、現地設定として指定を受け付けたユニット特定番号を有する利用ユニットの利用側コントローラに対して、循環ポンプを所定の回転数Ｒで運転させる指令を行い（ステップＳ４、Ｓ５）、他のユニット特定番号を有する利用ユニットの利用側コントローラに対して、循環ポンプの回転数をゼロにして運転させない指令を行う（ステップＳ４、Ｓ６）。尚、上記のように、指定受付部１０９に受け付けられた利用ユニットのユニット特定番号（ここでの現地設定は、「０」〜「１５」）は、リモコンＣＰＵ１０１によって、所定の時間が経過後に、初期値「１６」に戻されるようになっており、これにより、現地設定の戻し忘れが生じないようになっている。
【０１０３】
これにより、ヒートポンプシステム１では、指定受付部１０に任意のユニット特定番号を受付させるだけで、ステップＳ１〜Ｓ６の処理によって、関連付けを行いたいユニット特定番号の利用ユニットだけに所定の動作（ここでは、循環ポンプを所定回転数Ｒで運転する動作）をさせることができ、しかも、各利用ユニット４ａ〜４ｐが共通に有している循環ポンプ４３ａ〜４３ｐを動作させて運転音等を感知することによって識別することができる。したがって、従来に比べて、利用ユニット４ａ〜４ｐとユニット特定番号との関連付け作業を容易に行うことができる。
【０１０４】
−異常（ポンプ異常以外の異常）が発生した利用ユニットの識別−
また、異常が発生した利用ユニットのユニット特定番号を、現地設定として指定受付部１０９に受け付けさせた場合には、リモコン指令部１０６が、異常が発生したユニット特定番号を有する利用ユニットの循環ポンプを所定の回転数Ｒで運転させ、他のユニット特定番号を有する利用ユニットの循環ポンプを運転させないようにする制御を、利用側コントローラ１４０ａ〜１４０ｐに行わせることになる。
【０１０５】
ここでは、利用ユニット４ａ〜４ｐのいずれかに異常（ここでは、ポンプ異常以外の異常）が発生し、利用側コントローラ１４０ａ〜１４０ｐの異常検知部１４６ａ〜１４６ｐにおける異常検知データを受信して、リモコン１００の異常特定部１０８が、異常が発生した利用ユニットのユニット特定番号及び異常原因を特定した場合を具体例として説明する。
【０１０６】
まず、ステップＳ１において、リモコンＣＰＵ１０１が、現地設定が初期値「１６」であるかどうかを判定する。ここでは、現地設定が初期値「１６」以外であるため、すなわち、サービスマンが異常が発生した利用ユニットのユニット特定番号をリモコン操作部１０４に入力することによって、指定受付部１０９が現地設定として任意のユニット特定番号の指定を受け付けた場合であるため、ステップＳ２に移行する。
【０１０７】
次に、ステップＳ２において、リモコンＣＰＵ１０１が、現地設定がポンプ異常発生番号「１７」であるかどうかを判定する。ここでは、現地設定がポンプ異常発生番号「１７」以外の任意のユニット特定番号の指定を受け付けた場合であるため、すなわち、利用ユニット４ａ〜４ｐのいずれかにおいてポンプ異常以外の異常が発生した場合であるため、ステップＳ３に移行する。
【０１０８】
次に、ステップＳ３において、リモコンＣＰＵ１０１が、現地設定として指定を受け付けたユニット特定番号を有する利用ユニットがポンプ異常であるかどうかを判定する。ここでは、異常特定部１０８において特定された異常原因がポンプ異常以外の場合であるため、ステップＳ４に移行する。
【０１０９】
次に、ステップＳ４〜Ｓ６において、リモコンＣＰＵ１０１のリモコン指令部１０６が、現地設定として指定を受け付けた異常が発生した利用ユニットの利用側コントローラに対して、循環ポンプを所定の回転数Ｒで運転させる指令を行い（ステップＳ４、Ｓ５）、他のユニット特定番号を有する利用ユニットの利用側コントローラに対して、循環ポンプの回転数をゼロにして運転させない指令を行う（ステップＳ４、Ｓ６）。
【０１１０】
これにより、ヒートポンプシステム１では、指定受付部１０９に異常（ここでは、ポンプ異常以外の異常）が発生したユニット特定番号を受付させるだけで、異常が発生した利用ユニットだけに上記所定の動作（すなわち、循環ポンプを所定回転数Ｒで運転する動作）をさせることができ、現地施工時に利用ユニット４ａ〜４ｐとユニット特定番号との関連付け作業を行うことなく、異常が発生した利用ユニットを識別することができる。
【０１１１】
−ポンプ異常が発生した利用ユニットの識別−
上記の異常が発生した利用ユニットの識別処理において、異常が発生した利用ユニットの異常原因がポンプ異常であった場合には、上記所定の循環ポンプの運転（すなわち、循環ポンプを所定回転数Ｒで運転する動作）を行うことができず、異常が発生した利用ユニットの識別を行うことができないおそれがある。
【０１１２】
そこで、ヒートポンプシステム１では、異常特定部１０８によって特定された異常原因がポンプ異常である場合には、複数の利用ユニット４ａ〜４ｐのいずれかにポンプ異常が発生したことを意味するポンプ異常発生番号「１７」を、現地設定として指定受付部１０９に受け付けさせるようにしている。そして、この場合には、リモコン指令部１０６の指令により、ポンプ異常が発生したユニット特定番号を有する利用ユニットの循環ポンプを運転させず、ポンプ異常が発生していないユニット特定番号を有する利用ユニットの循環ポンプを所定の回転数Ｒで運転させる制御を、利用側コントローラ１４０ａ〜１４０ｐに行わせるようになっている。
【０１１３】
ここでは、利用ユニット４ａ〜４ｐのいずれかにポンプ異常が発生し、利用側コントローラ１４０ａ〜１４０ｐの異常検知部１４６ａ〜１４６ｐにおける異常検知データを受信して、リモコン１００の異常特定部１０８が、ポンプ異常が発生した利用ユニットのユニット特定番号及び異常原因を特定した場合を具体例として説明する。
【０１１４】
まず、ステップＳ１において、リモコンＣＰＵ１０１が、現地設定が初期値「１６」であるかどうかを判定する。ここでは、現地設定が初期値「１６」以外であるため、すなわち、サービスマンがポンプ異常が発生したことを意味するポンプ異常発生番号「１７」をリモコン操作部１０４に入力することによって、指定受付部１０９が現地設定として任意のユニット特定番号の指定を受け付けた場合であるため、ステップＳ２に移行する。
【０１１５】
次に、ステップＳ２において、リモコンＣＰＵ１０１が、現地設定がポンプ異常発生番号「１７」であるかどうかを判定する。ここでは、現地設定がポンプ異常発生番号「１７」の指定を受け付けた場合であるため、すなわち、利用ユニット４ａ〜４ｐのいずれかにおいてポンプ異常が発生した場合であるため、ステップＳ７に移行する。
【０１１６】
次に、ステップＳ７〜Ｓ９において、リモコンＣＰＵ１０１のリモコン指令部１０６が、異常特定部１０８の特定結果に基づいて、ポンプ異常が発生したユニット特定番号を有する利用ユニットの利用側コントローラに対して、循環ポンプの回転数をゼロにして運転させない指令を行い（ステップＳ７、Ｓ８）、他のユニット特定番号を有する利用ユニットの利用側コントローラに対して、循環ポンプを所定の回転数Ｒで運転させる指令を行う（ステップＳ７、Ｓ９）。
【０１１７】
これにより、ヒートポンプシステム１では、指定受付部１０９に複数の利用ユニット４ａ〜４ｐのいずれかにポンプ異常が発生したことを意味するポンプ異常発生番号を受付させるだけで、ポンプ異常が発生していない利用ユニットだけに上記所定の動作（すなわち、循環ポンプを所定回転数Ｒで運転する動作）をさせることができ、ポンプ異常が発生した利用ユニットを識別することができる。
【０１１８】
−ポンプ異常が発生したユニット特定番号を指定受付部に受け付けさせた場合−
上記の異常が発生した利用ユニットの識別処理において、ポンプ異常以外の異常が発生した場合には、サービスマンが、異常が発生したユニット特定番号をリモコン操作部１０４に入力して、現地設定として指定受付部１０９に受け付けさせ、ポンプ異常が発生した場合には、ポンプ異常発生番号をリモコン操作部１０４に入力して、現地設定として指定受付部１０９に受け付けさせるようにしている。すなわち、ポンプ異常が発生した場合には、ポンプ異常が発生したユニット特定番号を指定受付部１０９に受付させるのではなく、ポンプ異常が発生したユニット特定番号とは別のポンプ異常発生番号を指定受付部１０９に受付させるようにしている。このため、ポンプ異常が発生した場合であるにもかかわらず、誤ってポンプ異常が発生したユニット特定番号をリモコン操作部１０４に入力してしまい、指定受付部１０９に受付させてしまうおそれがある。そうすると、上記の異常が発生した利用ユニットの識別処理（ステップＳ４〜Ｓ６）の処理がそのまま行われて、異常が発生した循環ポンプに上記所定の動作（すなわち、循環ポンプを所定回転数Ｒで運転する動作）をさせようとすることになり、機器保護の観点から好ましくない状況が発生する。
【０１１９】
そこで、ヒートポンプシステム１では、指定受付部１０９が、現地設定として、ポンプ異常が発生した利用ユニットのユニット特定番号を受け付けた場合には、リモコン指令部１０６の指令により、循環ポンプを運転させない制御を、ポンプ異常が発生したユニット特定番号を有する利用ユニットの利用側コントローラに行わせるようになっている。
【０１２０】
ここでは、利用ユニット４ａ〜４ｐのいずれかにポンプ異常が発生し、利用側コントローラ１４０ａ〜１４０ｐの異常検知部１４６ａ〜１４６ｐにおける異常検知データを受信して、リモコン１００の異常特定部１０８が、ポンプ異常が発生した利用ユニットのユニット特定番号及び異常原因を特定した場合を具体例として説明する。
【０１２１】
まず、ステップＳ１において、リモコンＣＰＵ１０１が、現地設定が初期値「１６」であるかどうかを判定する。ここでは、現地設定が初期値「１６」以外であるため、ステップＳ２に移行する。
【０１２２】
次に、ステップＳ２において、リモコンＣＰＵ１０１が、現地設定がポンプ異常発生番号「１７」であるかどうかを判定する。ここでは、現地設定としてポンプ異常発生番号「１７」の指定を受け付けさせる場合であるにもかかわらず、誤ってポンプ異常が発生した利用ユニットのユニット特定番号の指定を指定受付部１０９に受け付けさせた場合であるため、ステップＳ３に移行する。
【０１２３】
次に、ステップＳ３において、リモコンＣＰＵ１０１が、現地設定として指定を受け付けたユニット特定番号を有する利用ユニットがポンプ異常であるかどうかを判定する。ここでは、現地設定としてポンプ異常が発生した利用ユニットのユニット特定番号が指定受付部１０９に受け付けられた場合であるため、ステップＳ４には移行せずに、ステップＳ１０に移行する。
【０１２４】
次に、ステップＳ１０において、リモコンＣＰＵ１０１のリモコン指令部１０６が、ポンプ異常が発生したユニット特定番号を有する利用ユニットの利用側コントローラに対して、循環ポンプの回転数をゼロにして運転させない指令を行い、ポンプ異常が生じている循環ポンプへの電圧の印加を防ぐ。
【０１２５】
これにより、ヒートポンプシステム１では、ポンプ異常が発生した場合であるにもかかわらず、誤ってポンプ異常が発生したユニット特定番号を指定受付部１０９に受付させてしまった場合でも、ポンプ異常が発生した利用ユニットの循環ポンプの機器保護を図ることができる。
【産業上の利用可能性】
【０１２６】
本発明は、水媒体を循環するポンプを有する複数のヒートポンプユニットをグループ制御するヒートポンプシステムに対して、広く適用可能である。
【符号の説明】
【０１２７】
１                  ヒートポンプシステム
４ａ〜４ｐ          利用ユニット（ヒートポンプユニット）
１００              リモコン（グループコントローラ）
１０６              リモコン指令部（指令部）
１０７              自動特定処理部
１０８              異常特定部
１０９              指定受付部
１４０ａ〜１４０ｐ  利用側コントローラ（ユニットコントローラ）
【先行技術文献】
【特許文献】
【０１２８】
【特許文献１】特開平５−１６４３８４号公報
【図１】
2012172897.tif 000003
【図２】
2012172897.tif 000004
【図３】
2012172897.tif 000005
【図４】
2012172897.tif 000006